(57)【要約】人のための改良した健康管理システムが開示され、そこでは、人の安静時代謝率（ＲＭＲ）が、間接カロリーメータを用いて間隔的に決定される。ＲＭＲ値は、例えば、体重コントロール・プログラムにおいて、目標を設定し、および改訂する際に使用される。ＲＭＲに対する体重コントロール・プログラムの影響は補うことができ、それによって、改良した体重コントロール・プログラムが開発される。一つの実施形態において、人は、カロリー摂取計算機、カロリー消費計算機、およびカロリー・バランス計算機での使用のために、携帯型電子機器を備える。
2004513669.tif 000002
【特許請求の範囲】
【請求項１】
ユーザの健康を管理する方法であって：
間接カロリーメータを用いて、前記ユーザの安静代謝を間隔的に決定し；
ある期間、前記ユーザによって消費された食物を示すデータを記録し；
ある期間、前記ユーザによって実施された運動を示すデータを記録し；
前記食物データを、カロリー摂取を決定するために処理し；および
前記運動データおよび前記安静代謝を、カロリー消費を決定するために処理する
ステップを具備する前記方法。
【請求項２】
前記カロリー摂取と前記カロリー消費とを、カロリー・バランスを決定するために比較するステップをさらに具備する、請求項１に記載の方法。
【請求項３】
選択された期間における前記カロリー摂取、前記カロリー消費、および前記カロリー・バランスを表示するステップをさらに具備する、請求項２に記載の方法。
【請求項４】
複数の食物に関する栄養データを含む食物データベースを供給するステップであって；
前記食物データ処理ステップは、ある期間に消費された食物を示す記録されたデータに対応する栄養データをデータベースから検索することを含む前記ステップをさらに具備する、請求項１に記載の方法。
【請求項５】
カロリー目標を確立し、および前記目標への進捗を決定するために、前記カロリー摂取ならびに前記カロリー消費を前記目標と比較する
ステップをさらに具備する、請求項１に記載の方法。
【請求項６】
前記進捗に基づいて、前記目標を調整するステップをさらに具備する、請求項５に記載の方法。
【請求項７】
食物消費および運動実施に関するデータを遠隔地に送信し、前記送信されたデータを解析し、およびフィードバックを前記ユーザに供給するステップをさらに具備する、請求項１に記載の方法。
【請求項８】
前記遠隔地は、前記送信されたデータを解析し、およびフィードバックを供給するように動作可能である遠隔コンピュータを具備することを特徴とする、請求項７に記載の方法。
【請求項９】
前記ユーザに、間隔的に、前記間接カロリーメータを用いて安静時代謝を決定するように促すステップをさらに具備する、請求項１に記載の方法。
【請求項１０】
前記間隔を、ある期間の安静時代謝の変化に基づいて調整する
ステップをさらに具備する、請求項９に記載の方法。
【請求項１１】
実施された運動を示すデータを記録する前記ステップは、前記ユーザが装着するための運動センサを供給するステップを含むことを特徴とし、前記運動センサは、前記ユーザの動きを示す信号を生成するように動作する、請求項１に記載の方法。
【請求項１２】
被験者の健康を監視するためのシステムであって：
前記被験者の前記代謝率を決定し、および前記代謝率を示すデータを送信するように動作可能である間接カロリーメータと；
計算装置であって：
前記被験者によって消費される食物を示すデータを入力するためのインプットと；
消費された食物を示す前記データを受信し、およびカロリー摂取を決定するために前記データを処理するように動作可能であるカロリー摂取計算機と；
前記被験者による、運動に関連するカロリー消費を示すデータを入力するためのインプットと；
ある期間、間隔的に、代謝率を示すデータを受信するためのインプットと；および
運動に関連するカロリー消費を示すデータならびに代謝率を示すデータを受信するように、および前記被験者に関して、合計カロリー消費を決定するように動作可能であるカロリー消費計算機と
を含む前記計算装置と
を具備する前記システム。
【請求項１３】
一定期間のカロリー・バランスを決定するために、前記カロリー摂取と前記合計カロリー消費とを比較するように動作可能であるカロリー・バランス計算機をさらに具備する、請求項１２に記載のシステム。
【請求項１４】
前記被験者が、健康関連の目標を設定することができるようにする目標設定手段と；および
前記カロリー・バランスと前記目標とを比較するように、および前記目標に向けての進捗を決定するように動作可能である進捗計算機と
をさらに具備する、請求項１３に記載のシステム。
【請求項１５】
前記目標設定手段はさらに：前記代謝率、カロリー・バランス、前記目標に向けての進捗、運動関連のカロリー消費、またはカロリー摂取のうちの少なくとも一つにおける変化に基づいて、前記目標を調整するように動作可能であることを特徴とする、請求項１４に記載のシステム。
【請求項１６】
前記間接カロリーメータは：
前記被験者が呼吸すると呼吸ガスが通過するように、前記被験者と接触して支持されるように構成された呼吸接続装置と；
前記呼吸ガスを受け取り、およびそれを通すように動作する流れ経路であって、前記呼吸接続装置と流体接触している第一の端部と、および呼吸ガスのソースならびにシンクと流体接触している第二の端部とを有する前記流れ経路と；
前記流れ経路を通過する呼吸ガスの瞬間的な流れの関数として、電気信号を生成するように構成された流量計と；および
前記ガスが前記流れ経路を流れる時の、前記呼吸ガスにおける成分ガスの瞬間的割合の関数として、電気信号を生成するように動作可能な、成分ガス濃度センサと
を具備することを特徴とする、請求項１２に記載のシステム。
【請求項１７】
前記成分ガス・センサは、酸素センサであることを特徴とする、請求項１６に記載のシステム。
【請求項１８】
前記被験者による運動を感知し、および運動レベルを示すデータを送信するように動作可能である運動センサと；
前記運動センサからデータを受信するように動作可能である運動関係のカロリー消費を示すデータを入力するための前記インプットと
をさらに具備する、請求項１２に記載のシステム。
【請求項１９】
前記運動センサは、前記被験者による動きを感知するための加速度計を含むことを特徴とする、請求項１８に記載のシステム。
【請求項２０】
前記ある期間の間隔は、初期期間が経過した後、長くなることを特徴とする、請求項１２に記載のシステム。
【請求項２１】
ユーザの健康を管理するためのシステムであって：
代謝を計測するための間接カロリーメータと；
マイクロプロセッサ・ベースの計算装置であって
メモリ；
データ入力装置；および
ディスプレイ
を含む前記計算装置とを含み、前記装置は、ある期間の間隔的なカロリーメータの計測値、ある期間のカロリー摂取に関する情報、および運動に関連するカロリー消費に関する情報を受信するように動作可能であり、さらに、合計カロリー消費を決定するために、前記カロリーメータ計測値と前記運動関連カロリー消費を処理するように動作可能であり、カロリー摂取と合計カロリー消費との差を示す出力を供給するように動作可能である前記装置と
を具備する前記システム。
【請求項２２】
メモリに記憶された食物データベースをさらに具備する、請求項２１に記載のシステム。
【請求項２３】
カロリーメータ計測の間隔は、１ヶ月よりも短いことを特徴とする、請求項２１に記載のシステム。
【請求項２４】
被験者のカロリー・バランスを監視するためのシステムであって：
前記被験者の代謝率を決定し、および代謝率を示すデータを送信するように動作可能である間接カロリーメータと；
計算装置であって：
前記被験者によって消費された食物を示すデータを入力するためのインプットと；
複数の食物に関する栄養データを含む食物データベースと；
消費された食物を示すデータを受信し、および消費された食物を示すデータに対応する栄養データをデータベースから検索するよう動作可能なカロリー摂取計算機であって、さらに一定期間、栄養データを記録するように動作可能である前記計算機と；
前記被験者による運動関連のカロリー消費を示すデータを入力するためのインプットと；
ある期間の間隔的な代謝率を示すデータを受信するためのインプットと；
運動関連のカロリー消費を示すデータならびに代謝率を示すデータを受信するように、および前記被験者に関する合計カロリー消費を決定するように動作可能なカロリー消費計算機であって、さらに一定期間の合計カロリー消費を記録するように動作可能である前記計算機と
を含む前記計算装置と
を具備する前記システム。
【請求項２５】
前記間隔は、一ヶ月より短いことを特徴とする、請求項２４に記載のシステム。
【請求項２６】
前記間隔は、２週間より短いか、またはそれに等しいことを特徴とする、請求項２４に記載のシステム。
【請求項２７】
前記間隔は、ある期間の代謝率の変化に基づいて調整されることを特徴とする、請求項２４に記載のシステム。
【請求項２８】
前記間接カロリーメータは：
前記被験者が呼吸をすると呼吸ガスが通過するように、前記被験者と接触するように支持されるよう構成された呼吸接続装置と；
前記呼吸ガスを受け取り、およびそれを通過させるように動作可能な流れ経路であって、前記呼吸接続装置と流体接触している第一の端部と、および呼吸ガスのソースならびにシンクと流体接触している第二の端部とを有する前記流れ経路と；
前記流れ経路を通過する呼吸ガスの瞬間的な流れの関数として、電気信号を生成するように構成された流量計と；および
ガスが前記流れ経路を通過するときに、呼吸ガスにおける成分ガスの瞬間的割合の関数として、電気信号を生成するように動作可能である成分ガス濃度センサと
を具備することを特徴とする、請求項２４に記載のシステム。
【請求項２９】
前記成分ガス・センサは、酸素センサであることを特徴とする、請求項２８に記載のシステム。
【請求項３０】
人の体重管コントロールのための方法であって：
ディスプレイ、データ入力機構、メモリ、プロセッサ、および食品項目データ、運動データ、体重データ、ならびに代謝率データを受信するためのソフトウェア・プログラムを有する計算装置を供給し；
間隔的に代謝率データを決定するために、それを通して人が呼吸をする、間接カロリーメータを供給し；
前記人に、通信ネットワークを通した遠隔コンピュータ・システムへのアクセスを供給し；および
前記人が、前記計算装置によって受信されたデータを、前記通信ネットワークを通して前記遠隔コンピュータに通信することができるようにするために、前記遠隔コンピュータ・システム上のソフトウェア・プログラムを供給する
ステップを具備し、
それによって前記人および他の権限を有する人は、前記通信ネットワークを通して、前記遠隔コンピュータ・システムに記憶された前記人の体重コントロール・プログラムに関するデータを見ることもできる
前記方法。
【請求項３１】
権限を有する人が、複数の人または前記遠隔コンピュータ・システムの体重コントロール・プログラムに関するデータを見ることもできる、請求項３０に記載の方法。
【発明の詳細な説明】
【０００１】
（技術分野）
本発明は、健康管理に関し、特に体重コントロールに関する。
【０００２】
（背景技術）
健康と体重コントロールは、多くの人々の大きな関心事である。多くの人は、通常、カロリー制限ダイエット（ｃａｌｏｒｉｅ ｄｉｅｔ）に基づいた、従来の体重減少体系に関わる。体重コントロール・プログラムには、身体活動が含まれていてもよい。カロリー管理システムによって、安静時代謝率（ｒｅｓｔｉｎｇ ｍｅｔａｂｏｌｉｃ ｒａｔｅ）（ＲＭＲ）および運動（活動）に関連するカロリー消費を含む、自らのカロリー消費を、食物および飲物という形式での自らのカロリー摂取と比較することができる。カロリー消費には、二つの要素、すなわち、安静時代謝過程に関連する大きな寄与分（コントリビューション）と、および運動で消費されたエネルギーに関する小さい寄与分を有する。総エネルギー消費（量）（ＴＥＥ）は、安静時エネルギ消費（量）（ＲＥＥ、すなわち、安静時代謝率と、関心のある時間帯との積）と、運動に関連するエネルギ消費（量）（ａｃｔｉｖｉｔｙ ｒｅｌａｔｅｄ ｅｎｅｒｇｙ ｅｘｐｅｎｄｉｔｕｒｅ）（ＡＥＥ）との和であり、すなわち；
ＴＥＥ＝ＲＥＥ＋ＡＥＥ
であると言える。
【０００３】
カロリー・バランスは、ＴＥＥと、人のカロリー摂取との間の差に関して定義される。
【０００４】
従来の、体重コントロールのシステムにおいて、人のＲＭＲは、Ｈａｒｒｉｓ−Ｂｅｎｅｄｉｃｔの式を用いて推定されており、それはＲＭＲを身長、体重、年齢および性別と関連付ける。この式は、ダイエットおよび栄養分野の当業者には良く知られている（例えば、Ｗｉｌｌｉａｍｓ，アメリカ合衆国特許第５，７０４，３５０号の補正の証明書、およびＫｒａｕｓｅならびにＭａｈｏｎ、“食物栄養および食事療法”）。代替的に、通常はＨａｒｉｓ−Ｂｅｎｅｄｉｃｔの式に基づいた図表が使用されてもよい。ＲＭＲの推定を向上させるために、さらに人口統計学的要素や体脂肪率が含まれても良い。
【０００５】
式、図表等を用いて得られたＲＭＲの値は、平均的な人に対する、推定ＲＭＲ値を供給するにすぎないことを理解することが重要である。一定の身長、体重、または他の身体的パラメータ（Ｈａｒｒｉｓ−Ｂｅｎｅｄｉｃｔの式や、変更された式に入力されてもよいようなもの）を持つ人は、推定とは顕著に異なる、実際のＲＭＲを有するかもしれない。明らかに類似した人のグループ内にいる個人に関する実際のＲＭＲ値は、平均的な人の推定ＲＭＲ値周辺の分布に入るであろう。この分布は、体重コントロール・プログラムにおいて、人のために算出されたカロリー必要量における誤りにつながる。
【０００６】
さらに、従来の体重コントロール・プログラムには、さらに重大な不完全性がある。人のＲＭＲは、体重コントロール・プログラムが進行するにつれて、不測の変化をする。人は、ＲＭＲが大きく下がると、感知された飢餓状態に反応するかもしれない。その結果、そのような人は、一定の体重を維持するのに必要な、自らのカロリー摂取が、ダイエットによって処方された、低減した値よりも下に下がると、カロリー低減ダイエットでも体重が増加するかもしれない。これは、体重コントロール・プログラムでの不満な結果である。他の人は、カロリー制限ダイエット中に、代謝率が下がらないことで苦しむかもしれない。体重コントロール・プログラムが、運動的要素を含んでいれば、人の安静時代謝率は、プログラム中でも増えるかもしれない。Ｈａｒｒｉｓ−Ｂｅｎｅｄｉｃｔの式は、体重が減ると安静時代謝が落ちると予測するが、体重コントロール・プログラムに対する、人の安静時代謝率の実際の反応を予測するものではない。よって、式を用いて、人の安静時代謝率を推定することは、効果的な体重コントロール・プログラムに必要な必要カロリーおよび運動レベルを算出する際の、大きな誤りにつながるかもしれない。このように、ある期間の代謝率の変化を正確に補う、改良された体重コントロール方法は、大きな価値があるであろう。
【０００７】
ＲＭＲは、間接（型）カロリーメータ（ｉｎｄｉｒｅｃｔ ｃａｌｏｒｉｍｅｔｅｒ）を用いて決定することができる。従来の装置は、大型で、高価で、使いにくいため、専門的な支援が必須である。人は、従来の間接カロリーメータの使用を、病院等の特定の場所に報告する必要がある。従来の間接カロリーメータの使用には、大きな困難と費用がかかるので、従来の体重減少プログラムは、プログラムにおける人のＲＭＲを監視するのではなく、むしろＨａｒｒｉｓ−Ｂｅｎｅｄｉｃｔの式によって与えられるような推定に依存している。
【０００８】
多くの体重減少アプローチが提案されており、そのすべては上述の欠点に苦しむ。例えばアメリカ合衆国特許第５，７０４，３５０号で、Ｗｉｉｌｉａｍｓは、栄養学的マイクロコンピュータおよび体重コントロール・プログラムでの使用法を説明している。ハンド・ヘルド（ｈａｎｄ−ｈｅｌｄ）装置が説明されており、それによりダイエット経過を記録し、運動レベルを記録し、ダイエット目標を設定することができる。Ｈａｒｒｉｓ−Ｂｅｎｅｄｉｃｔの式は、ユーザの毎日のカロリー消費を算出するために使用される。このようにこの装置および方法は、ダイエットの開始時に、ＲＭＲの変化を考慮することができない。
【０００９】
アメリカ合衆国特許第５，６７３，６９１号において、Ａｂｒａｍｓらは、体重を制御するための装置を説明しており、そこではカロリー摂取レベルは、ユーザの体重の変化に基づいて調節される。ユーザの実際の代謝率は、説明されているこの装置の使用法では、決定されない。
【００１０】
アメリカ合衆国特許第４，９５１，１９７号において、Ｍｅｌｌｉｎｇｅｒは、人の体重からカロリー消費を算出するダイエット方法を説明している。
【００１１】
ＲＭＲにおける個別の変形およびダイエット中のＲＭＲの変化は、考慮されない。
【００１２】
アメリカ合衆国特許第５，８９０，１２８号において、Ｄｉａｚらは、体重コントロール・プログラムで使用するための、ハンド・ヘルド・カロリー・コンピュータを説明している。体重減少のために、願わくば、ユーザの代謝率における急激な変化を避けるために、カロリー摂取を徐々に減らす。しかしながら、これは、本発明の実施形態において説明されるように、実際にユーザの代謝率を計測したり、変化を補ったりするほどには、効果的ではない。
【００１３】
アメリカ合衆国特許第５，７０５，７３５号において、Ａｃｏｍはベンチレータ（ｖｅｎｔｉｌａｔｏｒ）で患者の酸素消費および二酸化炭素の生成を監視し、および栄養学的要件を評価するために前記データを使用することを説明している。この装置は、患者ではなく、むしろ奉仕をしている健康専門職に情報を提供するものであり、体重コントロール・プログラムでの使用には便利ではない。
【００１４】
アメリカ合衆国特許第５，９８９，１８８号において、Ｂｉｒｋｈｏｅｌｚｅｒらは、生体のエネルギー均衡を決定する際の、間接カロリーメータの使用を説明している。しかしながらＢｉｒｋｈｏｅｌｚｅｒらは、体重コントロール・プログラムの結果を予測することに対する、体重コントロール・プログラムによって生じる代謝変化の問題的な影響を予見していない。彼らは、被験者のＲＭＲが、プログラムの過程を通して監視される体重コントロール・プログラムを説明しておらず、ＲＭＲにおける変化が、推奨されるカロリー摂取、運動レベル、および／または体重コントロール・プログラムの達成目標を変更するために、どのように用いられるかを説明していない。
【００１５】
（発明の開示）
最近、Ｊａｍｅｓ　Ｒ．Ｍａｕｌｔは、低コスト、ハンド・ヘルド、携帯型間接カロリーメータを発明し、それはガス交換モニタ（Ｇａｓ Ｅｘｃｈａｎｇｅ Ｍｏｎｉｔｏｒ）（ＧＥＭ）と呼ばれる。この装置によって、安静時代謝率（ＲＭＲ）の正確な計測が可能になる。
【００１６】
発明者、Ｊａｍｅｓ　Ｒ．Ｍａｕｌｔは、体重コントロール・プログラムで人のＲＭＲ計測を実行し、Ｈａｒｒｉｓ−Ｂｅｎｅｄｉｃｔの式を用いた体重減少では説明することができない、ＲＭＲの顕著な減少を発見した。
【００１７】
本発明は、それに従って、間隔的に、人の安静時代謝率（ＲＭＲ）を計測することによって、および体重コントロール中、特に体重減少中に生じる代謝の変化を補うために、動的な基礎によって、カロリー・バランスのＲＭＲ要素を変更することによって、従来技術の欠点を克服する。
【００１８】
ここに説明されている改良した体重コントロール・プログラムにおいて、人のＲＭＲを間隔的に監視するために、間接カロリーメータが使用される。ＲＭＲ値は、体重コントロール・プログラムで推奨されるカロリー摂取および／または運動レベルを変更するために使用される。
【００１９】
ＧＥＭによって、ダイエットの結果や、体重コントロール・プログラムの結果として、人の代謝が変化するにつれて、人のＲＭＲを間隔的に直接的に計測する（推定ではない）ことが可能になる。ＲＭＲの変化は、体重減少プログラムの過程を通して、正確に追跡されてもよい。ＲＭＲは、代謝変化がより速い体重コントロール・プログラムの開始時には、より頻繁に（例えば、１乃至５日に一回）計測されてもよい。計測間隔は、体重コントロール・プログラムの過程において、人のＲＭＲがおよそ一定値に落ち着く場合、延長（例えば、１乃至４週間ごとに）されてもよい。
【００２０】
従来の体重減少プログラムにおいては、小さい体重減少、または実際に体重減少が存在しないことによって、しばしばがっかりさせられる。これは、しばしばＲＭＲの変化を考慮しないことによる。本発明によって、体重コントロール・プログラムを知的に進めることができる。ＲＭＲの変化する値を考慮するために、カロリー摂取は減らされ、運動レベルは上げられ、または体重減少期待値は変更されてもよい。
【００２１】
本発明の一つの実施形態において、パーソナル・デジタル・アシスタント（ｐｅｒｓｏｎａｌ ｄｉｇｉｔａｌ ａｓｓｉｓｔａｎｔ）等の携帯型計算装置であって、その装置が、カロリー摂取計算機、カロリー消費計算機、およびカロリー・バランス計算機として機能することができるようにするソフトウェアを有する前記装置が供給される。体重目標が設定されてもよく、初期ＲＭＲ値は、達成目標体重が、妥当な時間で達成されるようなカロリー摂取レベルおよび運動レベルを提案するために用いられる。体重コントロール・プログラムの開始直後、自らのＲＭＲレベルを再決定するように促され、そうでなければ思い出させられてもよい。ＲＭＲは、体重コントロール・プログラムの始まりに、大きく変化するかもしれない。ＲＭＲにおけるあらゆる顕著な変化は、カロリー摂取、カロリー消費、および一定の体重目標に到達するのに要する時間の妥当な均衡を再計算するために使用されてもよい。人のＲＭＲは、体重コントロール・プログラムの期間中、間隔的に計測され、成功した結果に一致した方法でプログラムのパラメータを改訂する。
【００２２】
（発明を実施するための最良の形態）
人のカロリー・バランスとは、（食物、飲物、および他の消耗品からの）カロリー摂取と、カロリー消費との差である。よって、効果的なカロリー管理システムは、二つの要素を有する。それは、安静時代謝および運動レベルの点で、カロリー摂取を監視しなければならず、またカロリー消費も監視しなければならない。
【００２３】
ダイエット経過記録ソフトウェア（ｄｉｅｔ ｌｏｇｇｉｎｇ ｓｏｆｔｗａｒｅ）および運動センサーは、当業界では公知である。しかしながら従来の体重コントロール・プログラムは、体重コントロール・プログラムの過程中の安静時代謝の変化を補わない。ここに記述された改良された体重コントロール・プログラムにおいては、人のＲＭＲを間隔的に計測するために、間接カロリーメータが使用される。ＲＭＲの値は、カロリー管理システムにおいて使用される。
【００２４】
最近、Ｊａｍｅｓ　Ｒ．Ｍａｕｌｔが、改良した間接カロリーメータを発明した。この装置は、時にガス交換モニタ（ＧＥＭ）として知られ、好ましくは、ここに記述されている改良した体重および健康コントロール・プログラムで使用される。改良間接カロリーメータは、アメリカ合衆国同時係属特許出願第０９／６３０，３９８号で最も良く説明されており、その内容は、参照によってここにそのすべてが含まれている。前記カロリーメータの簡単な説明は以下の通りである。
【００２５】
図１および２を参照すると、アメリカ合衆国特許出願第０９／６３０，３９８号に従ったカロリーメータが、一般的に１０に示されている。カロリーメータ１０は、本体１２および本体１２から伸びるマスク１４等の呼吸接続装置（ｒｅｓｐｉｒａｔｏｒｙ ｃｏｎｎｅｃｔｏｒ）を含む。使用時には、本体１２がユーザの手に握られ、マスク１４は、ユーザの口および鼻を囲うように、ユーザの顔に接触するように持っていかれ、その最善の実施形態は図１に示されている。随意で、一対のひも１５も、図１に記載されている。マスク１４を顔に接触させ、ユーザは一定期間、カロリーメータ１０を通して普通に呼吸をする。カロリーメータ１０は、様々な要素を計測し、酸素消費や代謝率等、一つ以上の呼吸パラメータを算出する。電力ボタン１６は、カロリーメータ１０の上面に配置され、ユーザはカロリーメータの機能を制御することができる。表示画面は、マスク１４の反対にあるカロリーメータ本体１２の側面にあるレンズ１８の後ろに配置される。試験結果は、試験の後に、画面に表示される。
【００２６】
図３は、カロリーメータ１０の縦断面を示す。カロリーメータ１０を流れる呼吸ガスのための流れ経路は、矢印Ａ乃至Ｇで示されている。使用時には、ユーザが息を吐くと、呼気はマスク１４を通過し、カロリーメータ１０を通過し、周囲の空気へと抜ける。息を吸うと、周囲の空気が引き込まれ、カロリーメータを通過し、呼吸接続装置を通過し、ユーザに届く。
【００２７】
呼気は流入導管３０を通過し、接続された同心室４８に入る。ユーザの呼気中の過剰な水分は、呼気の流れから滴下し、同心室４８の下側の端部に落ちる。同心室４８は、できるだけ等しく、すべての半径方向から、流れ管３６に呼吸ガスを送り込むように働く。呼気は、流れ管３６の内面によって形成された流れ経路３８を通って、下方へと流れる。呼気は、流出経路４２に入り、同心室２８を介して、格子４４を通過して周囲の空気に出る。
【００２８】
流れ経路３８の流れ速度は、一対の超音波変換器２０および２２を用いて決定される。酸素センサ４０は、開口部３２を通る呼吸ガスの流れと接しており、ガスの流れにおける酸素の分圧を計測するために使用される。酸素濃度と流れ速度の積分によって、吸入酸素量と排気酸素量を決定することができる。ユーザの代謝率は、総酸素消費；吸入酸素量と排気酸素量の差から決定される。代謝率は、計測された、または推定された呼吸商（酸素消費対二酸化炭素生成の比）のいずれかを用いて決定される。安静時のユーザには、ＲＭＲ（安静時代謝率）が決定される。ＲＭＲ値は、画面１９に表示される。
【００２９】
好ましくは、本発明の実施形態において使用される間接カロリーメータは、被験者が呼吸をすると呼吸ガスが通過するように、マスクまたはマウスピース等、呼吸接続装置と；呼吸接続装置と、（大気等の）呼吸ガスのソース（ｓｏｕｒｃｅ）ならびにシンク（ｓｉｎｋ）との間の、呼吸ガスを受け取り、および流す流れ経路と；流れ経路を通過する呼吸ガスの瞬間的な流れの関数として、電気信号を生成するように構成された、超音波流量計等の流量計と；および上述の間接カロリーメータ等、流れ経路を通過する呼吸ガスにおける酸素および／または二酸化炭素等のガスの瞬間的割合（ｉｎｓｔａｎｔａｎｅｏｕｓ ｆｒａｃｔｉｏｎ）の関数として電気信号を生成する、蛍光酸素センサ等、成分ガス濃度センサとを具備する。しかしながら、他の間接カロリーメータは、本発明の実施形態において使用されてもよく、例えば、すべてＭａｕｌｔに認められたアメリカ合衆国特許第４，９１７，１０８号；５，０３８，７９２号；５，１７８，１５５号；５，１７９，９５８号；および５，８３６，３００号に記述されている通りであり、そのすべては参照によってここに含まれている。
【００３０】
図４は、本発明のシステム実施形態を示す。例えば、体重コントロール・プログラムの一部として、図４に記載のシステムを使用する人を、ユーザと呼ぶ。代謝率を計測するための装置（代謝率計）５０は、計算装置５２に、間隔的にユーザに関する代謝率データを供給する。好ましくは、間接カロリーメータ（アメリカ合衆国特許出願第０９／６３０，３９８号に記述されたもの等）は、ユーザのＲＭＲ計測値を、計算装置５２に供給する。装置５２は、表示画面５４およびボタン５６を有する。ボタン５６は、データ入力（例えば、メニュを介した操作、文字入力等）、装置の動作方法の変更（例えば、コンピュータと、ワイヤレス電話等の他の機能の間での変更）、音声記録の開始、画像捕獲の開始、または他の処理のために使用されてもよい。データ入力は、ペン状器具、タッチ画面、ローラージョグ（ｒｏｌｌｅｒ−ｊｏｇ）機構、タッチセンス・パッド（ｔｏｕｃｈ−ｓｅｎｓｉｔｉｖｅ ｐａｄ）、眼球運動監視、音声認識ソフトウェア、バーコード走査、光学式文字認識、または他の従来のデータ入力機構を用いて、達成されてもよい。好ましくは、計算装置５２は、パーソナル・デジタル・アシスタント（ＰＤＡ）であるが、携帯型コンピュータ；エレクトロニック・オーガナイザ（ｅｌｅｃｔｒｏｎｉｃ ｏｒｇａｎｉｚｅｒ）；電子ブック；ワイヤレス電話；呼び出し装置；付加機能を有する腕時計；個別の表示、入力および計算モジュールを有するシステム等の電子システム；あらゆる携帯型／着用型装置；付加的な計算機能を有する歩数計；またはデスクトップ・コンピュータ・システム等の電子機器でもよい。
【００３１】
図５は、ケーブル５８を用いて（画面５４およびデータ入力ボタン５６を有する）計算装置５２に接続された、マスク１４を有する間接カロリーメータ１０を示す。図５は、パーソナル・デジタル・アシスタント（ＰＤＡ）が計算装置として使用される、本発明の好ましい実施形態を示す。代替的には、データを、間接カロリーメータ１０から計算装置５２へ転送するために、記憶モジュール（メモリー・カード、メモリー・スティック、フラッシュ・メディア、等）が使用されてもよい。ＩＲビームまたはブルートゥース・ワイヤレス・プロトコル（Ｂｌｕｅｔｏｏｔｈ ｗｉｒｅｌｅｓｓ ｐｒｏｔｏｃｏｌ）等のワイヤレス通信方法も使用されてもよい。
【００３２】
計算装置５２で動作する健康管理ソフトウェアは、間隔的に代謝率データ、食事に関するカロリー摂取データ、および運動レベル・データを受信する。前記ソフトウェアは、ユーザの代謝率の値を変更することによって変更される、体重目標に関連して、ユーザに、目標およびフィードバックを供給する。ダイエット・ロギング・ソフトウェアおよび運動センサは、当業界においては公知である。しかしながら、従来の体重コントロール方法は、ユーザの代謝率における変化を補わない。前記ソフトウェアのすべての機能は、以下のリストに要約されているかもしれない：名前および他の情報を入力することによって、ユーザ同一性を設定する；初期設定処理中に、ユーザから集められた情報に基づいて達成目標および目標を設定する（体重目標、栄養達成目標、健康目標、および運動計画）；サーチ機能での、食物ログを通した食物消費の入力；サーチ・ツールと結びついた運動情報の入力（代替的には、運動センサからのデータを使用する）；カロリー・バランスおよび、安静時代謝、体重、ならびに体脂肪率等の、身体計測値の時間依存経過記録に関する、ユーザへのフィードバック；計算装置、または双方向テレビ等、他の装置の、画面表示機能を用いた、身体計測値傾向に関する報告；および食物摂取の栄養バランスに関する報告、である。
【００３３】
電子装置５２で動作するソフトウェアは、好ましくは、前記装置が、カロリー摂取計算機（ユーザが、消費された食品項目（飲物を含む）を示す、食物項目アイデンティティ等のデータを入力できるようにする）として機能するようにし；カロリー消費計算機（ユーザの運動に関するデータから、カロリー消費が決定されるようにする）として機能するようにし；および前記装置が、間隔的に、ユーザに関するＲＭＲデータを受信することができるようにする。運動データは、運動に関連する数値で、またはメニュー・ベース・システムを介すなどして、運動の種類を入力することによって、ユーザによって入力されてもよい。ユーザは、体脂肪率、ＲＭＲ，または安静時心拍数などの他の身体的パラメータ等、健康関連の目標を設定してもよい。
【００３４】
図６は、計算装置５２で動作してもよい健康管理ソフトウェアの一つの実施形態を図で示している。健康管理ソフトウェアによって支援される体重コントロール・プログラムの開始時に、ユーザは、同一性が確立され、初期状態が入力され、および達成目標ならびに目標が設定される設定手続きを入力してもよい。名前、電子メール・アドレス、誕生日または年齢、性別、および体格サイズや体脂肪率などの他の情報等、個人的な詳細情報が、ソフトウェアに入力されてもよい。ユーザは、体重減少（または体重増加、または体重維持目標）を入力する。体重減少の予定された速度が入力されてもよく、または（例えば）週に１ポンドにデフォルトで設定されてもよい。ユーザは、間接カロリーメータ、好ましくはＪａｍｅｓ　Ｒ．Ｍａｕｌｔによって発明されたガス交換モニタを用いて、安静時代謝率を決定する。ユーザは、自らの生活様式、睡眠時間、および典型的な運動レベルも前記装置に入力する。前記ソフトウェアは、ＲＭＲを通したカロリー消費、運動を通したカロリー消費、および消費によって可能になるカロリー摂取を示す、ユーザのカロリー・バランスの推定またはプレビュー（ｐｒｅｖｉｅｗ）を作成する。ユーザは、体重減少プログラム中、自らの予定された運動レベルを調整してもよい。ユーザは、炭水化物、脂肪およびたんぱく質の好ましい配分が消費されるようにする、計算装置上のソフトウェアを使用して、個別にあわせた食事を選択する。
【００３５】
体重コントロール・プログラムの過程中、ユーザは、消費した食物をソフトウェアに入力する。ソフトウェアによってアクセスされる食物データベースは、好ましくは、肉、野菜、飲物等、広範なカテゴリーの食物、および特定の食品項目とそれらの重さや量に関する詳細なサブカテゴリーを含む。好ましくは、食物データベースは、計算装置５２の中のメモリに存在する。食物データベースは、通信ネットワークを介して受信されたデータ、他の装置へのケーブルまたはワイヤレス・リンクを使用して受信されたデータを用いて、またはメモリ・モジュールの転送によって、作成され、または強化されてもよい。計算装置５２は、あらかじめインストールされた食物データベースとともに、体重コントロール事業者によって、顧客に提供されてもよい。前記ソフトウェアは、将来のダイエット計画に関するアドバイスを供給してもよく、例えば、ユーザが体重減少目標を達成することを支援する代案の食物のリストを提案する。運動レベルも、メニュー・システムを介して入力されてもよい。計算装置５２は、好ましくは、ユーザのカロリーならびに栄養摂取に関する情報を表示し、および傾向、カロリー・バランスならびに体重減少プログラムの目標に関する他の情報を表示する。
【００３６】
計算装置はそれから、ユーザが、彼らの毎日のカロリー摂取および様々な食物群、ビタミン、ミネラルの摂取の内訳を見ることができるようにし、それは、健康的な食事に関する現在の医学的知識に由来するものでもよい。設定が完了した後、ユーザはメニュー・システムを介してダイエット情報を入力する。ユーザは、消費された食物の同一性を入力するために、様々な食物群から選択してもよい。運動レベル・データも、ユーザ入力または運動センサから受信された情報のいずれかを通して、計算装置に供給される。消費情報および運動レベルは、遠隔コンピュータ・システムに転送されてもよい。前記装置は、進捗計算機として使用され、それによって、達成目標に向けての進捗が、初期計画と比較される。
【００３７】
例示的目的で、図７乃至１２は、装置５２上で動作する健康管理ソフトウェアによって供給される、計算装置５２のディスプレイ５４に示されても良い、多くの例示的画面を示している。図７は、そこで個人データおよび開始身体パラメータが入力されてもよい二つの画面を示す。図７の（Ａ）は、個人データ入力画面を示し、図７の（Ｂ）は開始データ入力画面を示す。
【００３８】
図８の（Ａ）乃至（Ｆ）は、体重コントロール・プログラムの開始時に、体重コントロール、運動、ＲＭＲ，および栄養達成目標がユーザに表示され、および／または調整されてもよい、６つの画面を示す。図８の（Ａ）は、そこから他の表示が選択されてもよいメニュー画面を示し、図８の（Ｂ）は、毎日のカロリー・バランス達成目標を示し、図８の（Ｃ）は、毎日の栄養達成目標を示し、図８の（Ｄ）は、そこで運動レベルが入力されてもよい画面を示し、図８の（Ｅ）は、ユーザのＲＭＲによって燃焼される毎日のカロリーを示し、および図８の（Ｆ）は身体的健康達成目標を示す。
【００３９】
図９は、ユーザが、ダイエット選択を入力できるようにする、食物データベース画面を示す。名前は直接（最初の数文字を入力することによって）、またはメニュー・システムを通して入力されてもよい。食物製品は、カテゴリまたは銘柄名で分類されてもよい。また、計算装置５２は、それによって製品コードが、食品パッケージから走査され、得られた情報がダイエット経過記録データベースに入力される、バーコード・スキャナ（ｂａｒ−ｃｏｄｅ ｓｃａｎｎｅｒ）を備えていてもよい。
【００４０】
図１０は、ユーザが、運動レベルを入力し、または推定できるようにする、運動データベース画面を示す。運動は、名前の最初の数文字を入力することによって直接、またはメニュー選択肢から選択することによって入力されてもよい。運動データベースは、好ましくは、計算装置５２のメモリ内に記憶され、それは運動とカロリー消費とを関連付ける。
【００４１】
図１１は、ユーザが、毎日または週ごとに、自らのカロリー・バランスを見られるように、毎日（図１１の（Ａ））および週（図１１の（Ｂ））のバランス画面を示す。
【００４２】
図１２は、３つの例示的画面を示しており、それによって体重減少プログラムの状態を観察してもよい。図１２の（Ａ）は、傾向の、表および図による表示のオプションを可能にする、バランス経過記録報告画面を示す。図１２の（Ｂ）は、栄養の内訳を示す画面を示し、および図１２の（Ｃ）は、身体傾向を示す画面を示す。
【００４３】
体重コントロール関連のデータは、前日の、先週の、または先月のデータ、および決定された傾向と比較されてもよい。その日のカロリー摂取は、達成目標体重の達成の成功を考慮したそれと比較されてもよい。医学的問題と関連するかもしれない変化は、診断されてもよく、ユーザの医師に知らされる。ユーザのカロリー・バランスの状態は、様々な題目に基づいたアイコンまたは表示画面によって示されてもよい。例えば、天候体系を用いて、曇りは、カロリー消費よりカロリー摂取が多いことを示すために使用されてもよく（それは否定的なカロリー・バランスと呼んでもよい）、および晴れた空は、カロリー消費よりもカロリー摂取が少ないことを示すために使用されてもよい（それは肯定的なカロリー・バランスと呼んでもよい）。銀行業務体系を用いて、カロリー消費よりもカロリー摂取が少ないことを示すために、ある配列の紙幣や他の富の象徴が使用されてもよく、一方で、カロリー消費よりもカロリー摂取が多いことを示すためには、貨幣、請求書、または他の貧困を示す象徴が使用されてもよい。
【００４４】
電子装置５２で動作するソフトウェアは、好ましくは、間隔的にＲＭＲデータを受信するように適応している。間隔は、プログラムの早い段階の間は頻繁であり（毎日または２−３日ごとのＲＭＲ計測等）、一定の期間、代謝変化がより小さくなることが期待される場合、後半段階では、頻繁でなくてもよい（２−３週間ごと、または月１回のＲＭＲ計測等）。前記ソフトウェアは、体重コントロール・プログラムの段階、他の監視されたパラメータにおける変化、および前のＲＭＲ変化に基づいて、ユーザにＲＭＲを計測するよう促すために使用されてもよい。ＲＭＲ計測の間の期間は、初期期間が経過した後は、長くなってもよい。例えば、ＲＭＲの変化が、健康監視プログラムにおける最初の２週間に大きく生じることが（例えば、研究から）期待される場合、そこではユーザのカロリー摂取は最初に一定の割合で減らされ、それからＲＭＲ計測は、この初期期間中、２日ごとに実行され、その間、目標は、実際のＲＭＲ変化に従って改訂されてもよい。例えば、ＲＭＲが下がらす、または運動によって上がった場合、より大きな体重減少目標が提案されてもよい。初期期間（頻繁なＲＭＲ検査のために）は、カロリー消費が顕著に変わった場合、再開始されてもよい。しかしながら、ＲＭＲが初期期間中に安定したレベルに落ち着いた場合、ＲＭＲ決定の間の間隔は、初期期間が経過した後、例えば２週間ごとへと増やされてもよい。間隔は、ＲＭＲの実際の変化に基づいて、継続的に調整されてもよく、例えば、ＲＭＲがある値だけ落ちたことが予測されるかもしれない（ＲＭＲが安定している場合には、最大間隔にデフォルト設定されるかもしれない）将来に、次のＲＭＲ計測が予定されてもよい。
【００４５】
ユーザの健康および体力は、体重、ＲＭＲ、体脂肪率、および他の生理学的パラメータの組み合わせを監視することによって、監視することができる。本発明は、適切な間隔で、間接カロリーメータを使用して、ユーザの安静時代謝を決定することにより；ある期間、ユーザによって消費される食物を示すデータを記録することにより；ある期間、ユーザによって実施される運動を示すデータを記録することにより；カロリー摂取を決定するために食物データを処理することにより；およびカロリー消費を決定するために、運動データおよび安静時代謝を処理することにより、ユーザの健康を管理する方法を供給する。よって、カロリー・バランスは、上述の通り、ユーザに関して決定することができる。他の生理学的パラメータは、ダイエットおよび運動レベルと連携して監視されてもよい。処理ステップは、好ましくは、計算装置５２を用いて実行されるが、装置５２とつながっている他の装置も、追加的データおよび処理サポートを供給してもよい。
【００４６】
図１３は、本発明の他の実施形態を示す。上述の通り、計算装置５２は、ユーザの安静時代謝率に関連して、間接カロリーメータ５０から間隔的にデータを受信する。計算装置はまた、ユーザに関して、運動センサ６０から運動データを受信する。好ましくは、これは、体に、または衣服に装着する加速度計であり、運動に関連する信号を供給する。そのような装置は、運動業界の当業者にはよく知られている。加速度計は、一つ以上の軸に沿った被験者の動きに関する信号を供給してもよい。前記信号は、間接カロリーメータでセンサー６０を基準化することによって、運動に関連する向上した代謝率と相関してもよい。これは、２０００年１０月６日提出、Ｊａｍｅｓ　Ｒ．Ｍａｕｌｔの係属アメリカ合衆国特許出願に記述されており、その全体は、参照によってここに含まれている。
【００４７】
図１４の（Ａ）および（Ｂ）は、ユーザの周囲につけられたベルト６４に取り付けられたホルダー６２で運ばれる運動センサ６０を示す。運動センサは、計算装置５２に差し込まれ、装置５２に、歩数計または他の運動センサの機能を与える、モジュールの形式でもよい。これは、係属アメリカ合衆国特許出願第０９／６６９，１２５号において、より完全に説明されており、そのすべては参照によりここに含まれている。例えば、前記装置５２がＰＤＡである場合、運動センサ６０は、ＰＤＡに差し込まれ、ドッキングされ（ｄｏｃｋ）、そうでなければつなげられ、および追加的な歩数計機能をＰＤＡに与えるモジュール、設備、フレーム（ｆｒａｍｅ）、またはカードの形式でもよい。
【００４８】
運動モジュールは、衣服、ベルト、ひもに留められ、またはユーザの身体に付着されてもよい。運動モジュールは。累積的な運動に関する数字等、装置５２に手動で入力することができるデータを表示してもよい。好ましい実施形態において、装置６０は、ブルートゥース・プロトコルまたはＩＲ法等、ワイヤレス・リンクを用いて、運動関係のデータを装置５２に送信する。ケーブルや他のインターフェースも使用されてもよい。
【００４９】
図１５は、本発明の他のシステム実施形態を示す。計算装置５２は、間接カロリーメータ５０から間隔的にデータを受信する。装置５２はまた、ユーザの運動レベルを決定するために、運動センサ６０からデータを受信する。心拍数モニタ７４も使用されてもよい。ユーザの体重も、はかり７２によって決定され、間隔的に計算装置に入力される。ユーザの体脂肪率は、体脂肪計７６を用いて、間隔的に決定される。はかり７２および体脂肪計７６は、Ｔａｎｉｔａや他の企業から市販されているような、バイオインピーダンス（ｂｉｏｉｍｐｅｄａｎｃｅ）計測のための電極を供給するはかり等の単一の装置へと結合されてもよい。
【００５０】
代替的に、体脂肪計６８および計算装置５２は、単一の装置に結合されてもよく、または体脂肪計６８は、計算装置５２へのアクセサリー・モジュールでもよい。例えば、計算装置５２は、バイオインピーダンスを用いて体脂肪を決定するように、電極および計測回路を供給してもよい。これは、２０００年７月１８日提出、係属アメリカ合衆国特許仮出願第６０／２１９，０６９号において、より完全に説明されており、そのすべては、参照によりここに含まれている。これ、および他の生理学的モニタは、係属アメリカ合衆国特許出願第０９／６６９，１２５号において、より完全に説明されており、そのすべては参照によりここに含まれている。
【００５１】
カロリーデータは、計算装置５２における健康管理ソフトウェアによって受信される。装置５２は、インターネット等、通信ネットワーク７０に接続されてもよい。計算装置５２がＰＤＡである実施形態において、ＰＤＡは好ましくはインターネットへのワイヤレス接続を有する。ＰＤＡはまた、通信ネットワークにリンクを有する他の装置とドッキングされ、または接続するようにされてもよい。例えば、ＰＤＡは、インターネット・アクセスを有するデスクトップ・パーソナル・コンピュータとドッキングしてもよい。
【００５２】
ユーザの健康および体重状態に関する、装置５２によって収集されたデータは、通信ネットワーク７０を介して、遠隔コンピュータ・システム（例えば、サーバ・システム）８０に送信されてもよい。遠隔コンピュータ・システム８０は、データベースに、ユーザに関する情報を記憶するためのメモリを具備する。遠隔システム８０は、ユーザへのフィードバックを供給するためのソフトウェアも有してよい。例えば、ユーザにフィードバックを供給するために、コンピュータ専門システムが使用されもよい。ユーザまたは他の権限を有する人は、例えばインターネット・ウェブサイトを通して、ユーザに関連するデータベースにおける情報にアクセスしてもよい。例えば、ユーザに関する情報は、医師、栄養士、栄養学者、健康アドバイザー、医師、他の健康専門職、または他の生活様式専門家によって、アクセスされてもよい。医師は、（おそらく通信ネットワーク７０を通して）遠隔コンピュータ・システム８０に接続されたパーソナル・コンピュータ８２を使用してもよい。他の例においては、栄養学者は、ユーザによって消費された食物のデータベースおよび体重傾向にアクセスしてもよく、および避けるべき食物についてのフィードバック、ならびに以前消費された低栄養価の項目への代替案を供給してもよい。体重コントロールまたは健康管理事業者は、複数のユーザに５２に等の計算装置を供給し、および前記複数のユーザに、一つ以上の遠隔コンピュータ・システム（例えば、ウェブ・サーバ）へと、自分の健康または体重管理プログラムに関するデータを通信させ、事業者の被雇用者または他の権限を有する人が、複数のユーザのデータにアクセスしてもよいようにする。
【００５３】
体重コントロール事業者は、パーソナル・デジタル・アシスタント、またはパーソナル・デジタル・アシスタントで動作するように設定されたソフトウェアを、多数の消費者に供給してもよい。体重減少事業者は、インターネット等の通信ネットワークを通してアクセスすることができる双方向ウェブサイトを供給してもよい。前記ウェブサイトは、収集されたデータの記憶、表示、および解析のために、消費者によって使用されてもよい。収集されたデータは、消費者の間での傾向を監視するために使用されてもよく、それで個人消費者に与えられた忠告の向上を可能にする。
【００５４】
ユーザは、一つ以上の生理学的モニタを運び、またはそれと対話してもよい。生理学的パラメータおよびモニタは、心拍数（例えば、センサ６６を用いて）、呼吸数、心電図、体温、および他のパラメータを含んでもよい。
【００５５】
図１６は、改良したフィードバックがユーザに供給されるシステム実施例を示す。計算装置５２は、上述のような、代謝率、ダイエット経過記録、運動レベル、および生理学的パラメータ等、ユーザに関する情報を収集するために使用される。これを総称して、生活様式情報と称する。生活様式情報は、遠隔コンピュータ・システム（例えば、サーバ・システム）８０上のデータベース内に記憶される。生活様式データは、通信ネットワーク７０、好ましくはインターネットを通して、計算装置５２からコンピュータ・システム８０に送信される。コンピュータ・システム８０は、生活様式データを解析し、および適切なフィードバックを決定する。前記フィードバックは、コンピュータ・システム８０か、または他のフィードバック・プロバイダ（ｆｅｅｄｂａｃｋ ｐｒｏｖｉｄｅｒ）９０によって供給される。
【００５６】
ユーザは、計算装置５２の画面でフィードバックを見てもよいが、好ましくは、娯楽装置９２、好ましくは双方向テレビでフィードバックを見る。装置９２は、パーソナル・コンピュータ、ウェブ・アクセス装置、ウェブ・テレビ、または視聴覚娯楽装置でもよい。
【００５７】
計算装置５２は、体重コントロール関係のデータを、双方向テレビまたは、便利な方法で通信ネットワーク７０に接続された他の装置へ送信するために使用されてもよい。ブルートゥース・プロトコルは、本明細書において記述されたすべての近接通信（ｓｈｏｒｔ ｒａｎｇｅ ｃｏｍｍｕｎｉｃａｔｉｏｎｓ）およびデータ転送のために使用されてもよい。ＩＲビーム、ケーブル、光学的方法、メモリ・モジュール転送、電子インターフェース、および超音波が使用されてもよい。計算装置５２がＰＤＡまたは他のハンド・ヘルド装置である実施形態において、それは、娯楽装置を制御するための遠隔コントロールとして使用されてもよい。
【００５８】
例えば、間接カロリーメータによって与えられる情報が、ユーザの代謝率は、体重コントロール・プログラム中に下がったことを示すとする。ユーザは、自らの安静時代謝率を上げるために、より高いレベルの運動に従事することが効果的であろう。ユーザの人口統計学的データ（年齢、性別）、体重、および前の運動レベルに基づいて、ユーザに合わせて運動プログラムが改訂されてもよい。ビデオ・プログラムは、様々な適切な部分から組み立てられ、娯楽装置でユーザによって見られてもよい。
【００５９】
フィードバックの形式および様式は、ユーザの反応を最適化するために変化してもよい。例えば、形式は、“臨時ニュースで、医師は、より多くの運動が、向上した安静時代謝およびダイエットの成功へと導くことを明らかにした”等のフレーズを含む、ニュース形式でもよい。フィードバックの様式および調子は、前のテスト、質問、体重コントロールにおける前の成功あるいは失敗、またはユーザに関する他の情報を用いて、ユーザの最適な反応に合うかもしれない。例えば、フィードバックは、ユーモラス、真面目、口やかましい等でもよい。ユーザへフィードバックを供給するために、大統領の真似などの、権威のある人が用いられてもよい。
【００６０】
遠隔サーバ８０は、好ましくは、ユーザの生理学的状態、運動および消費と相対した、ＰＤＡからの情報を受信し、記憶し、表示し、および解析するためのアプリケーション・プログラムを有する。前記情報は、栄養学者、医師等、体重減少プログラムを監督する健康管理専門職に、間隔的に送信されてもよい。健康管理専門職からウェブサイトへの通信、および／またはウェブサイトで実行された解析に基づいて、ＰＤＡによって患者に表示するために、メッセージが、通信ネットワークを介して、サーバによってＰＤＡに送信されてもよい。前記メッセージは、患者のプログラムを扱ってもよく、および実施されるべきテストやそのテストの間隔、および食物消費に関する情報を含む、患者の実施における変更についてのメッセージを含んでもよい。前記メッセージは、過去の結果に関しての励ましや批評を含んでもよい。前記システムは、他の商業的体重減少プログラムにおいて大変成功している、規則正しい監視を供給する。患者の反応は、彼らの進歩が、それを監視している健康管理専門職か、またはコンピュータ・プログラムに通信されることを知ることによって、向上する。計算装置５２は、例えば該計画の食事に関する彼らの幸福感や、プログラムの成功の感覚に相対したユーザの精神状態に関する情報も受信してよい。
【００６１】
好ましくは、ユーザは、消費した直後、計算装置５２に、食物および飲物消費を記録する。しかしながら、略式記録は、音声記録、画像記録、注釈、バーコード走査からのデータ、光学式文字認識走査からのデータ等、計算装置に記憶され、および正式なダイエット経過記録を作成するために、将来使用されてもよい。正式なダイエット経過記録は、ユーザ、またはデータにアクセスすることができる権限を有する他の人によって作成されてもよい。例えば、体重コントロール事業者は、前記システムのユーザによって捕獲された略式記録から、正式なダイエット経過記録を作成するために、被雇用者に供給してもよい。
【００６２】
生理学的モニタによって感知される電気信号は、ワイヤまたはＲＦまたは他のワイヤレス・リンクのいずれかを通して、計算装置５２に転送されてもよい。生理学的モニタは、フラッシュ・メモリやバッテリ・サポーテッド・メモリ（ｂａｔｔｅｒｙ ｓｕｐｐｏｒｔｅｄ ｍｅｍｏｒｙ）等の、リムーバブル・メモリ・スティック（ｒｅｍｏｖａｂｌｅ ｓｔｉｃｋ ｍｅｍｏｒｙ）またはカードを受けるためのコネクタ（ｃｏｎｎｅｃｔｏｒ）を含むことができる。これらのスティックやカードは、監視中に生理学的モニタに接続され、後に取り外されＰＤＡに挿入することができる。同じメモリ・モジュールが、様々な生理学的モニタとともに、または共通データ・フォーマットを採用して使用されてもよい。
【００６３】
携帯型計算装置によって収集されたデータは、栄養学者等の健康管理専門職によって運ばれる携帯型装置に転送されてもよく、栄養学者が、自らの装置でデータを見ることができるようにし、そしてユーザに改良されたフィードバックおよびアドバイスを与えることができる。
【００６４】
図１７は、手首装着型装置を示しており、それは本発明の一つの実施形態において、計算装置５２として使用されてもよい。これは、係属アメリカ合衆国特許仮出願第６０／２０７，０５１号において、より完全に説明されており、その内容は、参照によってそのすべてがここに含まれている。１００に一般的に示されている、腕時計に似た手首装着装置を人が身につける。前記装置は、主筐体（ｍａｉｎ ｈｏｕｓｉｎｇ）１０２、およびユーザの手首に巻くひも１０４を有する。画面１０６は、時間、カロリー・バランス、ダイエット入力メニュー画面、運動入力メニュー画面、およびＲＭＲ入力画面を表示するために使用される。モード・ボタン１０８は、表示モードを変えるために使用される。ボタン１１０、１１２および１１４は、メニュー・オプション選択を通して操作し、および記録するべきデータ項目を選択するために使用されてもよい。人のカロリー・バランスは、上述されたとり、カロリー消費と比較したカロリー摂取と関連する。予め包装された食物についているバーコードは、手首装着型装置の筐体１０２と結合したバーコード読取装置１１６によって読み取られてもよく、バーコード・データは、データベースを用いて栄養データに変換される。限られた選択肢から、予め包装された食物、例えば、体重コントロール・プログラムの一部として提供された食事を食べている場合、バーコード・データを栄養情報と関連させるデータベースは、手首装着型装置の筐体内のメモリの中に、都合よく記憶されてもよい。通信ネットワークを通して手首装着型装置とつながっている遠隔サーバに、強化されたデータベースが記憶されてもよい。
【００６５】
間接カロリーメータへのアクセスは、医師のオフィス、栄養学者のオフィス、フィットネス・センタ、小売センタ、等で供給されてもよい。図１８は、フィットネス・センタでの使用に適した構成を示す。図１８は、間接カロリーメータ１０のマスク１４を通して呼吸をしているユーザを示し、それはフィットネス・センタによって供給されるデスクトップ・コンピュータ１２０と電気的に接続されている。フィットネス・センタは、カロリーメータ１０を供給してもよく、またはユーザが、カロリーメータ、またはマスク１４等の使い捨て部材を用意してもよい。ユーザ、すなわちフィットネス・センタの顧客は、ログイン情報をパーソナル・コンピュータに入力し、および彼らの代謝率を計測し、それをフィットネス・センタに属するコンピュータ・システム、可能であれば、ＰＣ１２２と接続した遠隔サーバに記憶するために、間接カロリーメータを通して呼吸をする。フィットネス・センタは、体重、ＲＭＲ，ダイエット情報、実施される運動等のデータを含む、ユーザに関する健康ならびに体力データベースを維持してもよい。フィットネス・センタは、体重目標および体力目標への、ユーザの進捗に関するアドバイスおよびフィードバックを供給してもよい。向上した代謝率は、筋肉量（ｍｕｓｃｌｅ ｍａｓｓ）のレベルが上がったこと、または一定の体重に対する体脂肪率が減少したことを示しており、よってフィットネス・センタのユーザにとって望ましい目標である。間接カロリーメータの上述された実施形態から、プロセッサ（アメリカ合衆国特許出願第９０／６３０，３９８号）は取り除かれ、および間接カロリーメータとパーソナル・コンピュータとの間に配置されてもよい個別のモジュールに信号を送信するために使用される間接カロリーメータの流れ経路内の変換器から信号を除去する。これは、ユーザの顔の上に配置される装置の重さを減らし、ガス・フロー・センサ（ｇａｓ ｆｌｏｗ ｓｅｎｓｏｒ）の精度を下げるかもしれない流れ経路の近くの熱源も減らす。フィットネス・センタ内にある運動器械によって収集されたデータも、フィットネス・センタのコンピュータに記憶されたユーザに関するデータベースに追加されてもよい。
【００６６】
当業者には明らかになるとおり、本発明の上述の実施形態は、様々な方法で、本発明の範囲または教示から逸脱することなく変えられてもよい。本発明の範囲を定義するのは、そのすべての関連を含む、前述の特許請求の範囲である。
【図面の簡単な説明】
【図１】
図１は、間接カロリーメータを通して呼吸をするユーザの透視図である。
【図２】
図２は、間接カロリーメータの透視図である。
【図３】
図３は、間接カロリーメータの断面図である。
【図４】
図４は、本発明のシステム実施形態の図である。
【図５】
図５は、携帯型計算装置と接続した間接カロリーメータを示す。
【図６】
図６は、本発明の実施形態に従った、計算装置で動作してもよいソフトウェアのフローチャートである。
【図７】
図７は、計算装置で動作するソフトウェアによって供給される例示的な画面を示す。
【図８】
図８は、計算装置で動作するソフトウェアによって供給される例示的な画面を示す。
【図９】
図９は、計算装置で動作するソフトウェアによって供給される例示的な画面を示す。
【図１０】
図１０は、計算装置で動作するソフトウェアによって供給される例示的な画面を示す。
【図１１】
図１１は、計算装置で動作するソフトウェアによって供給される例示的な画面を示す。
【図１２】
図１２は、計算装置で動作するソフトウェアによって供給される例示的な画面を示す。
【図１３】
図１３は、運動センサーを含む、本発明のシステムの実施形態の図である。
【図１４】
図１４は、運動センサーを運んでいるユーザを示す。
【図１５】
図１５は、本発明の他のシステム実施形態の図である。
【図１６】
図１６は、それによって改良したフィードバックがユーザに供給されてもよい、他のシステム実施形態の図である。
【図１７】
図１７は、手首装着計算装置を示す。
【図１８】
図１８は、デスクトップ・コンピュータと接続した間接カロリーメータを通して呼吸をするユーザを示す。
【図４】
2004513669.tif 000003
【図６】
2004513669.tif 000004
【図７】
2004513669.tif 000005
【図８】
2004513669.tif 000006
【図１１】
2004513669.tif 000007
【図１２】
2004513669.tif 000008
【図１３】
2004513669.tif 000009
【図１５】
2004513669.tif 000010
【図１６】
2004513669.tif 000011
【図１７】
2004513669.tif 000012
【図１８】
2004513669.tif 000013
【国際公開パンフレット】
2004513669.tif 000014
2004513669.tif 000015
2004513669.tif 000016
2004513669.tif 000017
2004513669.tif 000018
2004513669.tif 000019
2004513669.tif 000020
2004513669.tif 000021
2004513669.tif 000022
2004513669.tif 000023
2004513669.tif 000024
2004513669.tif 000025
2004513669.tif 000026
2004513669.tif 000027
2004513669.tif 000028
2004513669.tif 000029
2004513669.tif 000030
2004513669.tif 000031
2004513669.tif 000032
2004513669.tif 000033
2004513669.tif 000034
2004513669.tif 000035
2004513669.tif 000036
2004513669.tif 000037
2004513669.tif 000038
2004513669.tif 000039
2004513669.tif 000040
2004513669.tif 000041
2004513669.tif 000042
2004513669.tif 000043
2004513669.tif 000044
2004513669.tif 000045
2004513669.tif 000046
2004513669.tif 000047
2004513669.tif 000048
2004513669.tif 000049
2004513669.tif 000050
2004513669.tif 000051
2004513669.tif 000052
2004513669.tif 000053
2004513669.tif 000054
2004513669.tif 000055
2004513669.tif 000056
2004513669.tif 000057
2004513669.tif 000058
2004513669.tif 000059
2004513669.tif 000060
2004513669.tif 000061
2004513669.tif 000062
2004513669.tif 000063
【国際公開パンフレット（コレクトバージョン）】
2004513669.tif 000064
2004513669.tif 000065
【国際公開パンフレット（コレクトバージョン）】
2004513669.tif 000066
2004513669.tif 000067
【国際調査報告】
2004513669.tif 000068
2004513669.tif 000069